(57)【要約】【課題】汚染面をあまり傷付けることなく汚染物質を剥離することができ、汚染層の状況等に応じて除染作業を効率的に実施できる汚染物質除去装置を提供する。【解決手段】噴射ガン２４から、除染剤ＤＣを含む液をバインダーとして所定の形状及び大きさに成形したドライアイスペレットＤＰＥと、除染剤ＤＣを含有したドライアイスブロックＤＢを切削することにより得られたドライアイスパウダーＤＢＰとのいずれか又は双方が、汚染面ＰＳに向けて噴射される。【選択図】図３
2013242154.tif 000002
【特許請求の範囲】
【請求項１】
除染する領域を負圧雰囲気にするとともに、除染剤を含有するドライアイスを汚染面に噴射し、その噴射により剥離されかつ除染剤により汚染レベルが低減した汚染物質を周りの空気とともに負圧吸引して搬送かつろ過し、ろ過後の空気を排出することを特徴とする除染方法。
【請求項２】
前記ドライアイスは、ドライアイスパウダーを界面活性剤である除染剤を含む液をバインダーとして所定の形状及び大きさに成形したドライアイスペレットであって、この除染剤入りのドライアイスペレットが汚染面に噴射される請求項１に記載の除染方法。
【請求項３】
前記ドライアイスは、除染剤を含有したドライアイスブロックを切削して得られたドライアイスパウダーであり、この除染剤入りのドライアイスパウダーが汚染面に噴射される請求項１に記載の除染方法。
【請求項４】
前記ドライアイスは、ドライアイスパウダーを界面活性剤である除染剤を含む液をバインダーとして所定の形状及び大きさに成形したドライアイスペレットと、除染剤を含有したドライアイスブロックを切削することにより得られたドライアイスパウダーとの双方を含み、それら除染剤入りのドライアイスペレットと除染剤入りのドライアイスパウダーとが汚染面に噴射される請求項１に記載の除染方法。
【請求項５】
非昇華性の固形物が併用して汚染面に噴射される請求項１ないし４のいずれか１項に記載の除染方法。
【請求項６】
除染する領域を負圧雰囲気にする負圧形成手段と、
除染剤入りのドライアイスを汚染面に噴射する噴射装置と、
その噴射により剥離されかつ除染剤により汚染レベルが低下した汚染物質を周りの空気とともに負圧吸引して搬送する搬送手段と、
その空気とともに搬送された汚染物質をろ過するろ過装置と、
ろ過後の空気を排出する排出手段と、
を含むことを特徴とする除染装置。
【請求項７】
前記ドライアイスは、ドライアイスパウダーを界面活性剤である除染剤を含む液をバインダーとして所定の形状及び大きさに成形したドライアイスペレットであって、この除染剤入りのドライアイスペレットが汚染面に噴射される請求項６に記載の除染装置。
【請求項８】
前記ドライアイスは、除染剤を含有したドライアイスブロックを切削して得られたドライアイスパウダーであり、この除染剤入りのドライアイスパウダーが汚染面に噴射される請求項６に記載の除染装置。
【請求項９】
前記ドライアイスは、ドライアイスパウダーを界面活性剤である除染剤を含む液をバインダーとして所定の形状及び大きさに成形したドライアイスペレットと、除染剤を含有したドライアイスブロックを切削することにより得られたドライアイスパウダーとの双方を含み、それら除染剤入りのドライアイスペレットと除染剤入りのドライアイスパウダーとが汚染面に噴射される請求項６に記載の除染装置。
【請求項１０】
前記噴射装置は、非昇華性の固形物を併用して噴射するものである請求項６ないし９のいずれか１項に記載の除染装置。
【発明の詳細な説明】
【技術分野】
【０００１】
本発明は、放射性物質等の汚染物質を除去する除染方法及び除染装置に関する。
【背景技術】
【０００２】
例えば原子力発電所や核燃料再処理工場等において地震、津波等の自然災害や事故によって放射能漏れが発生すると、それによって放射能汚染を生じる。例えば放射性物質が道路の舗装面に蓄積して除染が必要になる場合がある。
【０００３】
放射性物質の除染のために汚染面（例えばアスファルト舗装面）を薬剤で洗浄することが考えられるが、薬剤のみでは除染しきれない場合がある。他方、アスファルト層を物理的に取り除くとすれば大変な作業になる。また、装置や設備の除染において、特許文献１のように汚染された装置や設備を解体する場合があるが、完全な除染は困難なことから、解体したものを埋めたり長期にわたり隔離管理しなければならない。
【先行技術文献】
【特許文献】
【０００４】
【特許文献１】特開２０１１−２０９１５７号公報
【発明の概要】
【発明が解決しようとする課題】
【０００５】
本発明の課題は、汚染面をあまり傷付けることなく汚染物質を剥離することができ、汚染層の状況等に応じて除染作業を効率的に実施できる除染方法及び除染装置を提供することにある。
【課題を解決するための手段及び発明の効果】
【０００６】
上記課題を解決するために、本発明は、
除染する領域を負圧雰囲気にするとともに、除染剤を含有するドライアイスを汚染面に噴射し、その噴射により剥離されかつ除染剤により汚染レベルが低減した汚染物質を周りの空気とともに負圧吸引して搬送かつろ過し、ろ過後の空気を排出することを特徴とする。
【０００７】
ドライアイスの噴射時の衝撃エネルギーにより汚染物質を剥離するので、サンド噴射のような研磨材を吹き付ける場合に比べて、汚染面をあまり傷付けることなく汚染物質を剥離することができる。しかも、ドライアイス自体は昇華して気体となるので後処理がいらない。また、ドライアイスと共に除染剤が噴射されるため汚染物質の除去効率が一層増し、より効率的により確実な除染作業が行える。
【０００８】
本発明において「汚染物質」は、放射性物質、有毒物質、細菌等のように大気、水、土等の環境を汚染する有害物質一般であり、例えば原子力発電所及びその周辺地域においては、セシウム、プルトニウム等の放射性物質である。
【０００９】
本発明において「除染剤」は、酸、無機塩、中性洗剤、界面活性剤等を含むが、水のみを「除染剤」とはしないものとする。さらにいえば、本発明において「除染剤」は、１種類もしくは複数種類の多孔質材料からなる多孔質材料混合粉体（細孔の大きさによって、ミクロポーラス材料（活性炭やゼオライト等）、メソポーラス材料（ＭＣＭやＦＳＭ、メソポーラスシリカ等）、マクロポーラス材料（軽石や火山灰等）とに分けられるが、いずれであってもよい）を含み、他にも、アモルファス系フローレン、ゼオライト、焼成した貝殻といった粉体（固体）を含む。この場合、これらの中から土質に合わせて１以上のものを選択して噴射できるように構成してもよい。さらに本発明において「除染剤」は、シリカ化合物、汚染物質との化学反応を速める界面活性剤、椰子油系の界面活性剤、磁気水系の浸透補助液、汚染物質（例えばセシウム等の放射性物質）を吸着する吸着剤といった浄化液（液体）等を含む。この場合、これらの中から除染効率を高められるよう１以上のものを選択して噴射できるように構成してもよい。さらに本発明の「除染剤」は、放射能除染を目的に開発され、複数種の多孔質材料の粉体と反応を促進させる界面活性剤とから組成する浄化液を含み、例えば液体の放射性除染剤ＴＵ−１や粉体の放射性除染剤ＴＵ−２等を含む。
【図面の簡単な説明】
【００１０】
【図１】本発明に係る汚染物質除去装置の第１実施例を示す概要図。
【図２】図１の具体例として、舗装面から放射性物質を除去する車載式汚染物質除去装置の概略説明図。
【図３】ドライアイスの噴射装置を示す説明図。
【図４Ａ】図３の噴射装置が噴射するドライアイスペレットの製造方法を示す説明図。
【図４Ｂ】図４Ａに続く説明図。
【図４Ｃ】図４Ｂに続く説明図。
【図４Ｄ】図４Ｃに続く説明図。
【図５Ａ】図３のペレットホッパの一例を示す説明図。
【図５Ｂ】図３のペレットホッパの他の例を示す説明図。
【図６】捕獲装置の主要部を拡大して示す説明図。
【図７Ａ】図３の噴射ガンによるアスファルト除染作業を説明する概略図。
【図７Ｂ】図７Ａに用いるブースの一例を示す説明図。
【図７Ｃ】図７Ｂの断面説明図。
【図７Ｄ】図７Ａに用いるブースの他の例を示す説明図。
【図７Ｅ】図７Ｄの断面説明図。
【図７Ｆ】図７Ａに用いるブースのさらに他の例を示す説明図。
【図８】ドライアイスの噴射装置の第２実施例を示す説明図。
【図９】パウダー供給部の詳細を示す説明図。
【図１０】切削刃及びパウダーホッパの近傍を示す斜視図。
【図１１Ａ】図８の噴射装置が噴射するドライアイスパウダーのもととなるドライアイスブロックの製造方法を示す説明図。
【図１１Ｂ】図１１Ａに続く説明図。
【図１１Ｃ】図１１Ｂに続く説明図。
【図１２】図８の噴射ガンによるアスファルト除染作業を説明する概略図。
【図１３】ドライアイスの噴射装置の第３実施例を示す説明図。
【図１４】図１３の噴射ガンによるアスファルト除染作業を説明する概略図。
【図１５】ドライアイスの噴射装置の第４実施例を示す説明図。
【図１６】図１５の噴射ガンによるアスファルト除染作業を説明する概略図。
【図１７】ドライアイスの噴射装置の第５実施例を示す説明図。
【図１８】図１７の噴射ガンによるアスファルト除染作業を説明する概略図。
【図１９】ドライアイスの噴射装置の第６実施例を示す説明図。
【図２０】図１９の噴射ガンによるアスファルト除染作業を説明する概略図。
【図２１】図１９に示す第６実施例の電気的構成を示すブロック図。
【図２２】噴射ガンを別々に設けた例を示す説明図。
【図２３】図２２で圧縮空気の供給系を共用する例を示す説明図。
【発明を実施するための形態】
【００１１】
以下、本発明の実施例について図面を参照して説明する。
【００１２】
（第１実施例）
図１の概念図に示す汚染物質除去装置１は、除染する領域を負圧雰囲気にする負圧形成手段８と、除染剤入りのドライアイスを汚染面に噴射する噴射装置２４と、その噴射により剥離されかつ除染剤により汚染レベルが低下した汚染物質を周りの空気とともに負圧吸引して搬送する搬送手段６と、その空気とともに搬送された汚染物質をろ過するろ過装置７と、ろ過後の空気を排出する排出手段７０と、を備える除染装置である。
【００１３】
具体的には、図１の汚染物質除去装置１は、汚染物質ＲＭが付着した汚染面ＰＳに噴射される除染剤ＤＣ入りのドライアイス（ここでは除染剤ＤＣ入りのドライアイスペレットＤＰＥである）を供給するドライアイス供給部（ここではペレット供給部１２１）と、除染剤ＤＣ入りのドライアイスペレットＤＰＥを汚染面ＰＳに噴射する噴射装置２４（ここでは噴射ガンとする）と、除染剤ＤＣ入りのドライアイスペレットＤＰＥが噴射される汚染面ＰＳの周辺の空間を被うブース３と、そのブース３内に位置して汚染面ＰＳから剥離された汚染物質ＲＭを吸引する負圧吸引部４（吸引口）と、その負圧吸引部４から搬送手段（連通手段）としてのホース６を介して接続され、負圧吸引部４で吸引されホース６を介して移送される汚染物質ＲＭを捕獲部７２（フィルタ装置）に集め、かつ空気とともに通過させる過程で汚染物質ＲＭを捕獲する捕獲装置７（ろ過装置）と、を備える。
【００１４】
また、図１の汚染物質除去装置１は、負圧吸引部４に作用する負圧を生じさせる負圧発生装置（負圧形成手段）としての負圧ポンプ８（吸引ポンプ）と、除染剤ＤＣ入りのドライアイスペレットＤＰＥが噴射されるブース３内の負圧が一定範囲内に保たれるように負圧ポンプ８を制御する負圧制御装置としての負圧コントローラ９と、を備える。これによって、ブース３内の除染領域が所定範囲内の負圧雰囲気になり、噴射装置２４の噴射により剥離されかつ除染剤ＤＣに捕獲され又はこれと化学反応した汚染物質ＲＭが周りの空気とともに負圧吸引して搬送される。
【００１５】
図２は、図１の染物質除去装置１が、放射性の汚染物質ＲＭで汚染された舗装面ＰＳ（原子力発電所の敷地や道路の表面を構成するアスファルト面やコンクリート面等）を除染する装置に適用されるもので、除染する舗装面ＰＳがブース３で隔離され、例えば移動可能な車両１００の荷台１０１には、ペレット供給部１２１、捕獲装置７，負圧ポンプ８，負圧コントローラ９等が搭載され、噴射ガン２４（ノズル）から舗装面ＰＳ（汚染面）に除染剤ＤＣ入りのドライアイスペレットＤＰＥが噴射される（図７Ａ参照）。
【００１６】
なお、ドライアイスペレットＤＰＥは除染剤ＤＣ入りのものであり、除染剤ＤＣは、ドライアイスパウダーを固めるためのバインダーそのもの、もしくはバインダーに含まれている。ここでのドライアイスペレットＤＰＥは、図４Ａ〜図４Ｄに示すように、ドライアイスパウダーＤＰを予め定められた除染剤ＤＣを含む液をバインダーとして所定の形状及び大きさに成形されたものである。具体的には、まずは気体の二酸化炭素（炭酸ガス）を、およそ130気圧前後に加圧して液化させ、その液体の二酸化炭素を急速に大気中に放出する。その際、気化熱が奪われることによってその二酸化炭素の温度が凝固点を下回って粉末状の固体、即ちドライアイスパウダーＤＰを生成する。そのドライアイスパウダーＤＰに、これを固めるためのバインダー（ここでは予め定められた除染剤ＤＣを含む液）を添加し（図４Ａ参照）、除染剤ＤＣの添加後のドライアイスパウダーＤＰを型５（５ａ，５ｂ）によって圧縮・成形して（図４Ｂ及び図４Ｃ参照）、所定の形状及び大きさのドライアイスペレットＤＰＥとする。ドライアイスペレットＤＰＥは、型５の型穴５ｈの形状に応じて、例えば直径２〜３ｍｍ、長さ２〜４ｍｍくらいの短軸円柱状に成形される（図４Ｄ参照）。
【００１７】
また、バインダーは除染剤ＤＣを含むものであればよく、ここでは界面活性剤を含む液体であり、例えば、汚染物質との化学反応を速める界面活性剤や椰子油系の界面活性剤等の界面活性剤を例示でき、さらには、シリカ化合物や磁気水系の浸透補助液等であってもよい。また、バインダーとして添加される液体は個体・粉体の除染剤ＤＣＰを含む液でもよい。例えば、上述の液体の除染剤ＤＣを粉体としたものを用いてもよいし、その他にも、１種類もしくは複数種類の多孔質材料の多孔質材料混合粉体（細孔の大きさによって、ミクロポーラス材料（例えば活性炭やゼオライト等）、メソポーラス材料（例えばＭＣＭやＦＳＭ、メソポーラスシリカ等）、マクロポーラス材料（例えば軽石や火山灰等）とに分けられるが、それらのいずれであってもよい）を含む液でもよいし、アモルファス系フローレン、ゼオライト、焼成した貝殻といった粉体（固体）を含む液でもよい。バインダーとして添加される除染剤ＤＣは、上記の他にも、複数種の多孔質材料の粉体と汚染物質との化学反応を促進させる界面活性液から組成するスラリー状の浄化液をなす放射能除染液ＴＵ−１や、粉体の放射性除染剤ＴＵ−２等を含む液でもよい。
【００１８】
ただし、バインダーを「水のみ」とはしないものとする。
【００１９】
ドライアイスペレットＤＰＥは、例えば図３に示すような直径２〜３ｍｍ、長さ２〜４ｍｍくらいの短軸円柱状に形成されているので、これをそのままペレット供給部１２１のペレットホッパ１２１ｂに投入する。エアコンプレッサ２２ｃから供給される圧縮空気のベンチュリ効果により、ペレットホッパ１２１ｂ内のドライアイスペレットＤＰＥが吸引され、ペレット供給ホース１２１ａを介して噴射ガン２４へ供給され、圧縮空気に混合された状態で噴射ガン２４から噴射される。
【００２０】
ペレット供給部１２１においてドライアイスペレットＤＰＥを供給する場合、例えば図５Ａに示すように、ペレットホッパ１２１ｂの下部にシャッタ１２１ｃを設け、ドライアイスペレットＤＰＥの供給時にシャッタ１２１ｃを手動で又はソレノイド１２１ｓ等の駆動装置で開き、またペレットホッパ１２１ｂの外壁面に振動装置１２２を設けて、ペレットホッパ１２１ｂ内でのドライアイスペレットＤＰＥのブリッジ現象を抑制することができる。これにより、ドライアイスペレットＤＰＥが円滑に噴射ガン２４に供給される。
【００２１】
また、図５Ｂに示すように、ペレットホッパ１２１ｂの下部にスクリューコンベア１２３を設け、ドライアイスペレットＤＰＥの供給時にモータ１２３ｍによりスクリューコンベア１２３を駆動して、ドライアイスペレットＤＰＥをペレット供給ホース１２１ａ側へ送り出すこともできる。この場合、図５Ａの振動装置１２２やシャッタ１２１ｃを必要に応じて付加してもよい。スクリューコンベア１２３によりペレットホッパ１２１ｂから強制的にドライアイスペレットＤＰＥが送り出されるので、ドライアイスペレットＤＰＥの供給における信頼性が高まる。
【００２２】
図３及び図７Ａに示すように、噴射ガン２４には、ペレット供給ホース１２１ａとエア供給ホース２２ａが接続され、それらが合流して一つの噴出口２４ｃを形成する。噴射ガン２４は、作業者によって把持される噴射部であり、圧縮空気と除染剤ＤＣ含有のドライアイスペレットＤＰＥの噴射を開始及び停止するオンオフ操作部としてのオンオフレバー２４ａを備える。
【００２３】
オンオフレバー２４ａを引くことによって、エア供給ホース２２ａの途中に配置された電磁弁２２ｂが開かれ、圧縮空気が噴射ガン２４に供給される。噴射ガン２４においてエア供給ホース２２ａから圧縮空気が高速で流れると、ベンチュリ効果によってペレット供給ホース１２１ａ内の空気が吸引され、更にはペレット供給ホース１２１ａに存在する除染剤ＤＣ含有のドライアイスペレットＤＰＥも吸引されて噴射ガン２４へ供給される。これによって、除染剤ＤＣ含有のドライアイスペレットＤＰＥが圧縮空気に混合した状態で噴射ガン２４の先端（噴出口２４ｃ）から噴射され、舗装面ＰＳの除染が行われる。ペレットホッパ１２１ｂを逆円錐状ろうと形態ないしラッパ状形態とすることにより、上記ベンチュリ効果に伴い、ペレットホッパ１２１ｂの全周面から除染剤ＤＣ含有のドライアイスペレットＤＰＥが均等かつスムーズにペレット供給ホース１２１ａを経て噴射ガン２４へ導かれる。
【００２４】
コントローラ２５は、図３に示すように、ＣＰＵ２５ａ、タイマ２５ｂ、シーケンス回路２５ｃ及び制御プログラム２５ｄを備える。コントローラ２５は、噴射ガン２４のオンオフレバー２４ａが引かれるとそのレバー２４ａからオンオフ信号を受けるとともに、受けた信号に基づいて、除染剤ＤＣ含有のドライアイスペレットＤＰＥを噴射ガン２４から噴射するための各種駆動部（ここでは、電磁弁２２ｂ，１２１ｃと、駆動部１２１ｓや１２３ｍ）を駆動させる指令信号を出力する。
【００２５】
具体的には、コントローラ２５は、オンオフレバー２４ａからオン信号を受けると、エアコンプレッサ２２ｃと、駆動部１２１ｓや１２３ｍを駆動させるとともに、電磁弁２２ｂ，１２１ｃを開状態とする。これによって、図３のように、ペレット供給部１２１から除染剤ＤＣ含有のドライアイスペレットＤＰＥが、コンプレッサ２２ｃからの圧縮空気と共に噴射ガン２４へ供給され、噴出口２４ｃから噴射される。他方、コントローラ２５は、オンオフレバー２４ａからオフ信号を受けると、駆動部１２１ｓや１２３ｍを駆動停止させ、かつ電磁弁２２ｂ，１２１ｃを閉状態とする。これによって、噴射ガン２４の噴出口２４ｃからの噴射が止まる。制御プログラム２５ｄはこうした噴射ガン２４の噴射制御を司るプログラムとしてメモリに書き込まれており、ＣＰＵ２５ａによって実行される。
【００２６】
なお、コントローラ２５は、オンオフレバー２４ａからオン信号を受けると、電磁弁２２ｂを開いて圧縮空気をエアコンプレッサ２２ｃから噴射ガン２４へ導き、かつタイマ２５ｂによる制限時間の計測の後、シーケンス回路２５ｃを介して駆動部１２１ｓや１２３ｍを起動する。これによって、供給ホース２１ａ内に残留物（噴射ガン２４による噴射物であり、ここではドライアイスペレットＤＰＥやその破片、粉体等）を排出できる。
【００２７】
図２に戻る。汚染物質除去装置１は、放射性物質ＲＭが飛散しないように、除染剤ＤＣ含有のドライアイスペレットＤＰＥが噴射される舗装面ＰＳの周辺の空間を被うブース３と、ブース３内に天井から開口して（例えば傘状）舗装面ＰＳから剥離された放射性物質ＲＭを吸引する吸引口４（負圧吸引部）と、吸引口４から蛇腹式のホース６（連通手段）を介して接続され、吸引口４で吸引されホース６を介して移送される放射性物質ＲＭを捕獲する捕獲装置７と、を備えている。さらに、汚染物質除去装置１は、吸引口４に作用する負圧を生じさせる負圧ポンプ８（負圧発生装置）と、除染剤ＤＣ含有のドライアイスペレットＤＰＥが噴射されるブース３内の負圧が一定範囲内に安定するように、圧力センサ９１によるブース３内の負圧測定値に基づいて負圧ポンプ８を制御する負圧コントローラ９（負圧制御装置）も備えている。
【００２８】
捕獲装置７には、ブース３から負圧ポンプ８で吸引され、放射性物質ＲＭ、除染剤ＤＣ含有のドライアイスペレットＤＰＥが昇華した二酸化炭素等を含んだ空気から、アスファルト等の固体を気体との質量差によって分離する分離室７１が設けられ、さらにその下流側に放射性物質ＲＭ等を吸着して捕獲するための捕獲部７２（フィルタ装置）が接続されている。なお、実施例では分離室７１と捕獲部７２との間に負圧ポンプ８を設けているが、分離室７１の前方又は捕獲部７２の後方に負圧ポンプ８を設けてもよい。また、分離室７１にはサイクロン等の分離装置を設けて固体や液体を分離してもよい。
【００２９】
図８に示すように、分離室７１の下流の捕獲部７２（フィルタ装置）には、面状の不織布系エアフィルタであるＨＥＰＡフィルタ７２ａ、その下流に活性炭層７２ｂ、さらにその下流にゼオライト層７２ｃが、上下方向に直列状に配置されている。ＨＥＰＡフィルタ７２ａと活性炭層７２ｂとの間、及び活性炭層７２ｂとゼオライト層７２ｃとの間は、所定長さの接続管７３でそれぞれ接続されている。負圧ポンプ８で吸引され集塵室７２に導入された空気は、ＨＥＰＡフィルタ７２ａ→活性炭層７２ｂ→ゼオライト層７２ｃの各々を通過する間に放射性物質ＲＭ、二酸化炭素（除染剤ＤＣ含有のドライアイスペレットＤＰＥが昇華したもの）等の所定成分が選択的に吸着・捕集されるので、これらを通過した後の空気を大気中に排出できるようになる。なお、ＨＥＰＡフィルタ７２ａ→ゼオライト層７２ｃ→活性炭層７２ｂの順に通過するようにしてもよい。
【００３０】
上記したＨＥＰＡフィルタ（high efficiency particulate air filter）７２ａは繊維径１μｍ以下のろ紙状繊維層であり、粒径０．１μｍの粒子でも９９．９９％以上の集塵率を有する。したがって、不織布系エアフィルタとしてＨＥＰＡフィルタ７２ａを用いることにより、微細な固形物（例えば、チリ、ホコリ、土粒子、昇華しなかったドライアイス、後述する重曹等）、場合によっては所定の放射性汚染物質等も捕獲できる可能性がある。また、活性炭層７２ｂやゼオライト層７２ｃにより放射性汚染物質である、例えばセシウム１３４，１３７等の吸着や捕獲が行われる。活性炭は高い吸着能を有する多孔質の炭素性物質であり、ゼオライト（沸石ともいう）は気体の選別的吸着性をもつ分子ふるいとなるので、ドライアイスが昇華した二酸化炭素の捕獲も一定範囲で可能である。
【００３１】
ゼオライト層７２ｃの出口側には、ろ過後の空気を排出する排出手段７０が設けられる。ここでの排出手段７０は、残留する放射線量を測定するセンサ７４と、センサ７４の測定値に基づいて２つの切換弁を制御する切換コントローラ７５と、切換弁７６，７７とを有し、センサ７４による残留放射線量の測定値が許容範囲内であるとき、切換コントローラ７５は出口側の第一切換弁７６を開いて、通過後の空気を大気中に排出する（循環側の第二切換弁７７は閉じる）。一方、測定値が許容範囲外であるとき、切換コントローラ７５は出口側の第一切換弁７６を閉じ、循環側の第二切換弁７７を開いて、通過後の空気を活性炭層７２ｂ及びゼオライト層７２ｃへ循環する。また、排出する空気の流れを形成する負圧ポンプ８及び負圧コントローラ９も排出手段７０に含めてもよい。
【００３２】
図２に戻る。負圧コントローラ９は、圧力センサ９１によるブース３内の負圧測定値が所定の負圧範囲（例えば−２〜−１０Ｐａ（−２０×１０−６〜−１００×１０−６ｋｇｆ／ｃｍ2））になるように、負圧発生装置（具体的には、負圧ポンプ８による負圧吸引力）をコントロールする。例えば圧力センサ９１の負圧測定値が負圧上限値（−１０Ｐａ）を上回ったときには負圧ポンプ８の回転数を減少させて真空度を低下させ、負圧下限値（−２Ｐａ）を下回ったときには負圧ポンプ８の回転数を増加させて真空度を上昇させる。これによって、捕獲部７２での放射性物質ＲＭ等の吸着（捕獲）を安定させることができる。
【００３３】
このように、負圧コントローラ９がブース３内の負圧を一定範囲内に維持しながら、除染剤ＤＣ含有のドライアイスペレットＤＰＥ噴射時の衝撃エネルギーによって放射性物質ＲＭを舗装面ＰＳから剥離する。ドライアイスペレットＤＰＥの全部又はそのほとんどは昇華して気体となるので、効率的かつ安全に除染作業が行える。一方で、ドライアイスペレットＤＰＥに含有していた除染剤ＤＣは舗装面ＰＳによりも長時間残留して、剥離された放射性物質ＲＭによる汚染レベルを低減し、汚染レベルが低減された放射性物質ＲＭと共に、捕獲装置７へと負圧吸引されるため、より安全に除染作業が行える。
【００３４】
なお、アスファルト１０２の舗装面ＰＳの除染作業は、図７Ａに示すように、車両１００（図２参照）あるいは作業者によってブース３，噴射ガン２４，吸引口４等を一定時間毎に、あるいは連続的に移動させ、噴射ガン２４から除染剤ＤＣ含有のドライアイスペレットＤＰＥを圧縮空気とともに噴射する形で行われる。除染作業で舗装面ＰＳから剥離された放射性物質ＲＭは、吸引口４から吸引されホース６を介して捕獲装置７に収容され、前述のようにＨＥＰＡフィルタ７２ａ、活性炭層７２ｂ及びゼオライト層７２ｃを経て浄化された後、大気に放出される。その際、舗装面ＰＳに対しブース３を移動させて除染剤ＤＣ含有のドライアイスペレットＤＰＥ（さらには後述のドライアイスパウダーＤＢＰや重曹ＳＨ）の噴射領域を変えることができる。また、ブース３に対してある程度噴射ガン２４を移動可能ないし旋回可能として、ブース３を動かさなくても一定範囲を除染できるようにしてもよい。
【００３５】
具体的には、図７Ｂに示すブース３は、その少なくとも上面が透視性又は不透視性部材（例えば透明樹脂シート材等）で構成され、全体として所定の形状（図では直方体の蓋のような形状）に形成され、ブース３の上面部３ｂには長手方向に沿ってスリット３ａ（切れ目又は長孔）が開口している。このスリット３ａから噴射ガン２４、場合により吸引ホース６の端部をブース３の内部に挿入し、ブース３内でスリット３ａに沿って長手方向に移動することができる。また、スリット３ａにある噴射ガン２４を揺動させることによって、除染剤ＤＣ含有のドライアイスペレットＤＰＥ（さらには後述のドライアイスパウダーＤＢＰや重曹ＳＨ）の噴射方向（噴射領域）を変えることもできる。なお、ブース３の上面部３ｂに円形状等所定形状の開口３ｃを形成し、開口周縁に放射状のスリット３ｄを形成することにより、その開口周縁部を弾性的にあるいは柔軟に変形させて吸引ホース６の端部を挿入・保持することができる。また、図７Ｃに示すように、ゴム等の弾性材料又は柔軟材料でできた、スリット３ａを有する蓋体３ｂ１がブース３の上部開口を塞ぐ場合、蓋体３ｂ１のスリット３ａを押し開いて噴射ガン２４、場合により吸引ホース６の端部をブース３に抜き差ししたりブース３を移動したりできるので、ブース３内部の密閉性を一定限度で保つことができる。
【００３６】
また、図７Ｄ，図７Ｅに示すように、透視性又は不透視性の樹脂シート材等の柔軟性部材３ｅの端部をオーバーラップさせて（重ね合わせて）ブース３の上面部を形成し、この重ね合わせ部分３ｅ，３ｅの隙間を介して噴射ガン２４、場合により吸引ホース６の端部をブース３に抜き差ししたりブース３を移動したりしてもよい。なお、図７Ｂの上面部３ｂと同様に、図７Ｄにおいても吸引ホース６の端部を挿入・保持する開口３ｃやスリット３ｄを設けてもよい。
【００３７】
なお、スリット３ａ（切れ目、長孔）は図７Ｆに示すように複数設けることができる。この図では複数（２つ）のスリット３ａが所定の間隔で平行に形成されているが、スリット３ａの個数や形成方向は任意に設定することができる。図７Ｄ，図７Ｅの重ね合わせ部分３ｅ，３ｅ（これもスリットの一種と見ることができる）についても同様である。ブース３の上面部（蓋体３ｂ１）を透視性のある材料で構成すれば、ブース３内が外部から見えるから、作業性が向上する。
【００３８】
以上、本発明の第１実施例を説明したが、これはあくまでも例示にすぎず、本発明はこれに限定されるものではない。例えば上記実施例において一部の構成要件を省略する、さらには他の構成要件を追加する等、当業者の知識に基づく種々の変更が可能である。
【００３９】
以下、上記第１実施例とは異なる実施例について説明する。なお、上記第１実施例と共通の機能を有する部位には、上記第１実施例と同一符号を付することで説明を省略する。
【００４０】
（第２実施例）
汚染面ＰＳに噴射されるドライアイスは、第１実施例の除染剤ＤＣ含有のドライアイスペレットＤＰＥに限らず、除染剤ＤＣを含有したドライアイスブロックＤＢを切削して得られる、除染剤ＤＣが含有ないし混入（混合）したドライアイスパウダーＤＢＰとしてもよい。ドライアイスパウダーＤＢＰは、例えば０．５〜１ｍｍ角くらいの不規則なサイコロ状の粒子であり、比較的粒が小さいので、複雑な構造物の細部まで到達させて除染するときに適している。
【００４１】
図８に示す第２実施例の汚染物質除去装置１は、図３のペレット供給部１２１に代わって、除染剤ＤＣ含有ないし混入（混合）のドライアイスパウダーＤＢＰを噴射ガン２４に供給するパウダー供給部２１を備え、他は図３で示した装置と同様の構造を備える。
【００４２】
パウダー供給部２１は、ドライアイスブロックＤＢを切削刃２１ｃで旋削してドライアイスパウダーＤＢＰを作成するパウダー作成部２と、そのドライアイスパウダーＤＢＰを集めるパウダーホッパ２１ｄと、そのパウダーホッパ２１ｄと噴射ガン２４とを接続するパウダー供給ホース２１ａとを備える。より具体的には、パウダー供給部２１は、車輪２８によって移動可能なフレーム２０と、ドライアイスブロックＤＢをホルダ２１ｅを介して回転させるモータ２１ｂと、ドライアイスブロックＤＢの切削によって得られたドライアイスパウダーＤＢＰを収容するパウダーホッパ２１ｄと、ドライアイスパウダーＤＰを圧縮空気とともに噴射する噴射ガン２４へパウダーホッパ２１ｄからドライアイスパウダーＤＢＰを導くパウダー供給ホース２１ａと、加圧源としてのエアコンプレッサ２２ｃ（車輪２９により移動可能）で生じコンプレッサホース２７、電磁弁２２ｂを介して供給された圧縮空気を噴射ガン２４へ導くエア供給ホース２２ａと、を備える。
【００４３】
フレーム２０は、ドライアイスブロックＤＢを載置する載置部２０ｂを備え、この載置部２０ｂに形成されたスリット２０ｃから上側にやや突出するように切削刃２１ｃが設けられ、この切削刃２１ｃに押し付けるようにドライアイスブロックＤＢが載置される。ホルダ２１ｅは、複数の針２１ｆを備え、これらの針２１ｆがドライアイスブロックＤＢの上面に食い込んでそのブロックＤＢに回転トルクを伝達する。ホルダ２１ｅは、駆動軸２１ｇ及び減速機構２１ｈを介してモータ２１ｂに接続され、モータ２１ｂは、電動モータ又はエアモータであり、その出力は減速機構２１ｈを介してホルダ２１ｅを回転させる駆動軸２１ｇと、ホルダ２１ｅを切削に従って下降させていくネジ軸２１ｉとに分配される。ネジ軸２１ｉは、減速機構２１ｈに保持されフレーム２０の一部２０ａに設けられたナット２１ｊと螺合する。
【００４４】
ドライアイスブロックＤＢは、除染剤ＤＣ，ＤＣＰ入りのものであり、例えば図１０に示すように、角柱状、円柱状等のブロック体をなす。ここでのドライアイスブロックＤＢは、図１１Ａ〜図１１Ｄに示すように、ドライアイスパウダーＤＰを、既に述べたような除染剤ＤＣ、ＤＣＰを含む液をバインダーとして所定の形状及び大きさに成形されたものである。具体的には、まずは気体の二酸化炭素（炭酸ガス）を、およそ130気圧前後に加圧して液化させ、その液体の二酸化炭素を急速に大気中に放出する。その際、気化熱が奪われることによってその二酸化炭素の温度が凝固点を下回って粉末状の固体、即ちドライアイスパウダーＤＰを生成する。そのドライアイスパウダーＤＰに、これを固めるためのバインダーとして予め定められた除染剤ＤＣ，ＤＣＰを含む液を添加し（図１１Ａ参照）、除染剤ＤＣ、ＤＣＰの添加後のドライアイスパウダーＤＰを型５（５ｃ，５ｄ）によって成形して（図１１Ｂ及び図１１Ｃ参照）、所定の形状及び大きさのブロックＤＢとする。これによって、型５の型穴５ｋの形状に応じたブロック形状を有する、除染剤ＤＣ含有のドライアイスブロックＤＢが成形される（図１１Ｃ参照）。
【００４５】
除染剤ＤＣ含有のドライアイスブロックＤＢは、例えば図１０に示すように、その底面が切削刃２１ｃに押し付けられ、載置部２０ｂに形成された回転摺動面２０ｄ上をホルダ２１ｅの駆動軸２１ｇを中心に回転する。パウダーホッパ２１ｄは、上部の開口２１ｋから下部に向かって横断面が漸次小さくなる形状を有し、その下部にパウダー供給ホース２１ａが連結されている。
【００４６】
図８，図１０において、モータ２１ｂ及びホルダ２１ｅによりドライアイスブロックＤＢが回転すると、切削刃２１ｃによりそのブロックＤＢが切削されてドライアイスパウダーＤＢＰが得られ、これがパウダーホッパ２１ｄに収容される。切削の進行に従い、このネジ軸２１ｉの作用によりホルダ２１ｅは下方へ変位しホルダ２１ｅが切削刃２１ｃに接近する下限位置でモータ２１ｂは停止する。モータ２１ｂはコントローラ２５に接続され、コントローラ２５にはモータ２１ｂの回転数を変更することによりドライアイスパウダーＤＢＰの粒度を変更するパウダー粒度変更操作部としての操作パネル２６が接続される。
【００４７】
操作パネル２６は例えば複数段階に切り替えられることにより、モータ２１ｂの回転数ひいてはドライアイスブロックＤＢの切削によって得られるドライアイスパウダーＤＢＰの粒度を変更する。例えば、モータ２１ｂの回転数（回転速度）を低くすれば粒子の大きなドライアイスパウダーＤＢＰが生じ、回転数を高めれば粒度が小さいパウダーＤＢＰが得られ、粒度が大きいほど質量も大きいから、噴射時の衝突エネルギーもそれだけ大きなものとなる。
【００４８】
コントローラ２５は、オンオフレバー２４ａからオン信号を受けると、エアコンプレッサ２２ｃ、モータ２１を駆動させるとともに、電磁弁２２ｂ，２１ｖを開状態とする。これによって、図８のように、ドライアイスパウダーＤＢＰが、コンプレッサ２２ｃからの圧縮空気と共に噴射ガン２４へ供給され、噴出口２４ｃから噴射される（図１２参照）。他方、コントローラ２５は、オンオフレバー２４ａからオフ信号を受けると、エアコンプレッサ２２ｃ、モータ２１ｂを駆動停止させ、かつ電磁弁２２ｂ，２１ｖが閉状態とする。これによって、噴射ガン２４の噴出口２４ｃからの噴射が止まる。なお、コントローラ２５は、オンオフレバー２４ａからオン信号を受けた場合、電磁弁２２ｂ，２２ｖを開いて圧縮空気をエアコンプレッサ２２ｃから噴射ガン２４へ導き、かつタイマ２５ｂによる制限時間の計測の後、シーケンス回路２５ｃを介して、上記第１実施例の駆動部としてのモータ２１ｂを起動する。これによって、供給ホース２１ａ内に残留するドライアイスパウダーＤＢＰを排出できる。
【００４９】
（第３実施例）
ドライアイスペレットＤＰＥとドライアイスパウダーＤＢＰは、同時に使用してもよい。図１３に示す第３実施例の汚染物質除去装置１は、図３で示したペレット供給部１２１を有した装置と同様の構造を備える他、図８と同様のパウダー供給部２１も同時に備える。この場合、ペレット供給部１２１とパウダー供給部２１とは並列的に２系統設けられ、それらの先端（下端）に共通（兼用）の噴射ガン２４が接続される。噴射ガン２４に供給される圧縮空気のベンチュリ効果により、ペレットホッパ１２１ｂ内の除染剤ＤＣ含有のドライアイスペレットＤＰＥが吸引され、ペレット供給ホース１２１ａを介して噴射ガン２４へ供給される。一方、切削刃２１ｃで除染剤ＤＣ含有のドライアイスブロックＤＢを削って作られた、パウダーホッパ２１ｄ内の除染剤ＤＣ含有ないし混入（混合）のドライアイスパウダーＤＢＰもベンチュリ効果により吸引され、パウダー供給ホース２１ａを介して噴射ガン２４へ供給される。これによって、図１４に示すように、除染剤ＤＣ含有のドライアイスペレットＤＰＥ及びドライアイスパウダーＤＢＰが圧縮空気にそれぞれ混合された状態で噴射ガン２４から噴射されるので、ドライアイスペレットＤＰＥによる高い衝撃エネルギーでの剥離と、ドライアイスパウダーＤＢＰによる細部の除染とを並行して行うことができる。
【００５０】
なお、ドライアイスペレットＤＰＥとドライアイスパウダーＤＢＰとを同時噴射する構成においては、それらドライアイスペレットＤＰＥとドライアイスパウダーＤＢＰの一方を除染剤ＤＣが含まれないものとしてもよい。
【００５１】
（第４実施例）
図１５に示す第４実施例の汚染物質除去装置１は、図３で示した第１実施例の装置と同様の構造を備える他、昇華しない微細な固形物である重曹ＳＨ（の粒子、微小細片）を噴射ガン２４へ供給する重曹供給部２３（固形物供給部）を備え、噴射ガン２４からドライアイスペレットＤＰＥと共に重曹ＳＨを噴射する。これにより、衝撃エネルギーをさらに大きくして剥離能力を高めることができる。
【００５２】
具体的には、図１５及び図１６に示すように、ペレット供給部１２１と重曹供給部２３とは並列的に２系統設けられ、それらの先端（下端）に共通（兼用）の噴射ガン２４が接続される。噴射ガン２４は、ドライアイス（ここでは除染剤ＤＣ含有のドライアイスペレットＤＰＥ）を汚染面ＰＳに噴射するドライアイス噴射装置として機能するとともに、重曹ＳＨを汚染面ＰＳに噴射する重曹噴射装置（固形物噴射装置）として機能し、一体化された噴射ガン２４（共通の噴出口２４ｃ）からドライアイスペレットＤＰＥと重曹ＳＨとが圧縮空気と混合して噴射される。
【００５３】
重曹供給部２３において、重曹ＳＨを貯留する重曹ホッパ２３ｂ（固形物ホッパ）が重曹供給ホース２３ａ（固形物供給ホース）を介して噴射ガン２４（ノズル）に接続されている。ドライアイスペレットＤＰＥを供給するペレット供給ホース１２１ａと重曹ＳＨを供給する重曹供給ホース２３ａとは、圧縮空気を供給するエア供給ホース２２ａに対してほぼ同じ合流位置であって、しかもほぼ同じ傾斜角度（例えば１０°〜４５°）で交差している。したがって、噴射ガン２４に供給される圧縮空気のベンチュリ効果により、ペレットホッパ１２１ｂ内のドライアイスペレットＤＰＥが吸引され、ペレット供給ホース１２１ａを介して噴射ガン２４へ供給されるとともに、重曹ホッパ２３ｂ内の重曹ＳＨが吸引され、重曹供給ホース２３ａを介して噴射ガン２４へ供給される。
【００５４】
コントローラ２５は、オンオフレバー２４ａからオン信号を受けると、エアコンプレッサ２２ｃと、駆動部１２１ｓや１２３ｍを駆動させるとともに、電磁弁２２ｂ，１２１ｃ，２３ｃを開状態とする。これによって、図１６のように、ペレット供給部１２１から除染剤ＤＣ含有のドライアイスペレットＤＰＥが、重曹供給部２３から重曹ＳＨが、コンプレッサ２２ｃからの圧縮空気と共に噴射ガン２４へ供給され、噴出口２４ｃから噴射される。他方、コントローラ２５は、オンオフレバー２４ａからオフ信号を受けると、駆動部１２１ｓや１２３ｍを駆動停止させ、かつ電磁弁２２ｂ，１２１ｃ，２３ｂを閉状態とする。これによって、噴射ガン２４の噴出口２４ｃからの噴射が止まる。
【００５５】
（第５実施例）
図１７に示す第５実施例の汚染物質除去装置１は、図８で示した装置と同様の構造を備える他、図１５と同様の重曹供給部２３（固形物供給部）を備え、噴射ガン２４からドライアイスパウダーＤＢＰと共に重曹ＳＨを噴射する。これにより、衝撃エネルギーをさらに大きくして剥離能力を高めることができる。
【００５６】
具体的には、図１７及び図１８に示すように、パウダー供給部２１と重曹供給部２３とは並列的に２系統設けられ、それらの先端（下端）に共通（兼用）の噴射ガン２４が接続される。噴射ガン２４は、ドライアイス（ここでは除染剤ＤＣ含有ないし混入（混合）のドライアイスパウダーＤＢＰ）を汚染面ＰＳに噴射するドライアイス噴射装置として機能するとともに、重曹ＳＨを汚染面ＰＳに噴射する重曹噴射装置（固形物噴射装置）として機能し、一体化された噴射ガン２４（共通の噴出口２４ｃ）からドライアイスパウダーＤＢＰと重曹ＳＨとが圧縮空気と混合して噴射される。
【００５７】
コントローラ２５は、オンオフレバー２４ａからオン信号を受けると、エアコンプレッサ２２ｃと、駆動部２１ｂを駆動させるとともに、電磁弁２２ｂ，２１ｖ，２３ｃを開状態とする。これによって、図１８のように、パウダー供給部２１から除染剤ＤＣ含有ないし混入（混合）のドライアイスパウダーＤＢＰが、重曹供給部２３から重曹ＳＨが、コンプレッサ２２ｃからの圧縮空気と共に噴射ガン２４へ供給され、これらが噴出口２４ｃから噴射される。他方、コントローラ２５は、オンオフレバー２４ａからオフ信号を受けると、駆動部１２１ｓや１２３ｍを駆動停止させ、かつ電磁弁２２ｂ，２１ｖ，２３ｂを閉状態とする。これによって、噴射ガン２４の噴出口２４ｃからの噴射が止まる。
【００５８】
（第６実施例）
ドライアイスペレットＤＰＥとドライアイスパウダーＤＢＰと上述した固形物である重曹ＳＨ（の粒子、微小細片）とは、同時に使用してもよい。図１９に示す第６実施例の汚染物質除去装置１は、図３で示したペレット供給部１２１を有した装置と同様の構造を備える他、図８と同様のパウダー供給部２１と、図１５と同様の重曹供給部２３（固形物供給部）とを備える。この場合、ペレット供給部１２１とパウダー供給部２１と重曹供給部２３とは並列的に３系統設けられ、それらの先端（下端）に共通（兼用）の噴射ガン２４が接続される。噴射ガン２４に供給される圧縮空気のベンチュリ効果により、ペレットホッパ１２１ｂ内の除染剤ＤＣ含有のドライアイスペレットＤＰＥが吸引され、ペレット供給ホース１２１ａを介して噴射ガン２４へ供給される。また、切削刃２１ｃで除染剤ＤＣ含有のドライアイスブロックＤＢを削って作られた、パウダーホッパ２１ｄ内の除染剤ＤＣ含有ないし混入（混合）のドライアイスパウダーＤＢＰもベンチュリ効果により吸引され、パウダー供給ホース２１ａを介して噴射ガン２４へ供給される。さらに、重曹ホッパ２３ｂ内の重曹ＳＨもベンチュリ効果により吸引され、重曹供給ホース２３ａを介して噴射ガン２４へ供給される。これによって、図２０に示すように、除染剤ＤＣ含有のドライアイスペレットＤＰＥ及びドライアイスパウダーＤＢＰと、さらに重曹ＳＨとが、圧縮空気にそれぞれ混合された状態で噴射ガン２４から噴射される。ドライアイスペレットＤＰＥによる高い衝撃エネルギーでの剥離と、ドライアイスパウダーＤＢＰによる細部の除染とを並行して行うことができる。これにより、これによって、衝撃エネルギーをさらに大きくして剥離能力を高めることができ、除染作業に要する時間を短縮できる。
【００５９】
なお、第６実施例の汚染物質除去装置１は、図２１に示すように、汚染面ＰＳに噴射することが可能な複数種のドライアイスの種別の中から、噴射対象とする種別を設定するためのドライアイス種別設定操作部としての設定スイッチ２４ｂ１を備える。
【００６０】
ここでの設定スイッチ２４ｂ１は、噴射ガン２４の側面の設定操作部２４ｂに設けられている。噴射ガン２４は、除染剤ＤＣ含有のドライアイスペレットＤＰＥを汚染面ＰＳに噴射する第１ドライアイス噴射装置として機能するとともに除染剤ＤＣ含有ないし混入（混合）のドライアイスパウダーＤＢＰを汚染面ＰＳに噴射する第２ドライアイス噴射装置として機能する噴射装置として構成される。コントローラ２５は、噴射ガン２４から噴射されるドライアイスを、パウダー供給部２１から供給されるドライアイスパウダーＤＢＰ（除染剤ＤＣが含有ないし混入・混合）のみとする第１状態と、ペレット供給部１２１から供給される除染剤ドライアイスペレットＤＰＥ（除染剤ＤＣが含有ないし混入・混合）のみとする第２状態と、それらドライアイスペレットＤＰＥとドライアイスパウダーＤＢＰの双方とする第３状態との間で切り換える切替手段として機能する。つまり、コントローラ２５は、これら第１〜第３状態を人為的に設定する（切り換える）設定スイッチ２４ｂ１からの設定信号の入力を受け、これに基づいて、電磁弁２２ｂ，１２１ｃ，２１ｖの開閉を切り替える。上記切換手段は、コントローラ２５と、電磁弁２２ｂ，１２１ｃ，２１ｖと、設定スイッチ２４ｂ１とにより構成される。
【００６１】
また、第６実施例の汚染物質除去装置１は、図２１に示すように、汚染面に重曹ＳＨ等の固形物を噴射するか否かを選択して設定するための重曹噴射選択操作部（固形物噴射選択設定操作部）としての設定スイッチ２４ｂ２を備える。
【００６２】
ここでの設定スイッチ２４ｂ２も、図２１の設定操作部２４ｂに設けられている。コントローラ２５は、噴射ガン２４から噴射される重曹ＳＨ等の固形物を噴射する固形物噴射状態と、噴射しない固形物噴射停止状態との間で切り換える切替手段として機能する。つまり、コントローラ２５は、固形物噴射状態と固形物噴射停止状態とを人為的に設定する（切り換える）設定スイッチ２４ｂ２からの設定信号の入力を受け、これに基づいて、電磁弁２３ｃの開閉を切り替える。上記切換手段は、コントローラ２５と、電磁弁２３ｃと、設定スイッチ２４ｂ２とにより構成される。
【００６３】
ところで、第１〜第６実施例において、ドライアイスペレットＤＰＥやドライアイスパウダーＤＢＰの衝撃エネルギーにより放射性物質ＲＭを剥離する現象は、次のような効果も期待できる。すなわち、除染媒体であるドライアイスペレットＤＰＥやドライアイスパウダーＤＢＰは、圧縮空気によって固体状態で高速で（場合によっては超音速で）加速されて舗装面ＰＳに噴射され、舗装面ＰＳ上で昇華して気体（二酸化炭素）になるときの膨張現象（あるいは小爆発現象）により、ガス状ウェッジ（くさび）として放射性物質ＲＭを剥離する（ガスウェッジ作用）ことに寄与するとも考えられる。
【００６４】
また、第１〜第６実施例に関して、衝撃エネルギーが大きくなるほど、長時間の噴射によりドライアイスが再凍結するような事態を避けることができる。なお、重曹ＳＨはドライアイスパウダーＤＰ，ＤＢＰよりも質量が大きいので、例えばドライアイスパウダーＤＰの１０重量％程度を加えれば除染時間の短縮に効果がある。
【００６５】
除染で噴射される微細な固形物（例えば重曹ＳＨ）は、ドライアイスと異なり昇華しないので、吸引口４から除染物質（放射性物質ＲＭ）とともに吸引されて集塵部７の例えば分離室７１で重力により下方へ分離され、あるいはＨＥＰＡフィルタ７２ａで捕獲されるか、除染された舗装面に残るか、一部は残り他は分離室７１やＨＥＰＡフィルタ７２ａで除かれるか、適宜処理することができる。
【００６６】
なお、除染で噴射される微細な固形物としては、実施例では重曹ＳＨ（重炭酸ナトリウム、炭酸水素ナトリウム、重炭酸ソーダともいう）を用いたが、胡桃の殻、ガーネット（ザクロ石ともいう）、食塩等、あるいはこれらの混合物等をはじめ、固形物であれば汚染除去に有効である限り、種類を問わず用いることができる。
【００６７】
さらに、第１〜第６実施例において、ドライアイスペレットＤＰＥの噴射装置、ドライアイスパウダーＤＢＰの噴射装置、除染剤ＤＣの噴射装置、除染剤ＤＣＰの噴射装置は、共通（兼用）の噴射ガン２４として一体化して構成したが、図２１,図２２に示すようにドライアイスパウダーＤＢＰ用の噴射装置（噴射ガン２４Ｂ）と、ドライアイスペレットＤＰＥ用の噴射装置（噴射ガン２４Ａ）とをそれぞれ別体に設けてもよい。図２１は圧縮空気の供給系（エア供給ホース２２ａ）を別系統とした例、図２２はそれを共用する例である。
【００６８】
また、重曹ＳＨ等の固形物を噴射する実施例においては、ドライアイスペレットＤＰＥやドライアイスパウダーＤＢＰを噴射する１つの噴射ガン２４で一体化して構成したが、重曹ＳＨ等の固形物を噴射する噴射ガンを別体に設けてもよい。その場合には、重曹ホッパ２３ｂ内の重曹ＳＨ（固形物）は、噴射ガン２４とは別に設ける重曹用噴射ガンへ供給される。
【００６９】
また、全ての実施例において、電磁弁１２１ｃ，２１ｖ，２３ｃ，２２ｂの代わりに人為的に開閉操作されるシャッタ、ダンパ等の開閉装置を用いてもよく、これらの切換手段は各ホッパ１２１ｂ，２１ｄ，２３ｂから噴射ガン２４に至る任意の位置、コンプレッサ２２ｃから噴射ガン２４に至る任意の位置に設けることができる。
【００７０】
また、全ての実施例において、ベンチュリ効果によって、圧縮空気と共に、ドライアイスパウダーＤＢＰやドライアイスペレットＤＰＥ、重曹等の固形物ＳＨ等のような固体や粉体を噴射ガン２４へ導く圧縮空気供給部２２が形成されている。圧縮空気供給部２２ｃは、加圧源としてのエアコンプレッサ２２ｃと、エアコンプレッサ２２ｃからの圧縮空気を噴射ガン２４へ導く供給路としてのエア供給ホース２２ａとを有して構成され、その圧縮空気によって、エア供給ホース２２ａに途中で合流する上記の固体や粉体を、噴射ガン２４（あるいは２４Ａ，２４Ｂ）の噴射口２４ｃ（あるいは２４ｃ１）や、除染剤供給部２２１（除染剤供給ホース２２１ａ）へと導く。つまり、圧縮空気供給部２２ｃは、パウダー供給部２１やペレット供給部２２１、除染剤供給部２２１，３２１、固体物供給部（重曹供給部）２３の一部を構成している。なお、エア供給ホース２２ａに固体や粉体を合流させる各種供給ホース２１ａ，１２１ａ，２３ａ，３２１ａは、エア供給ホース２２ａの供給方向に対し鋭角をなして合流しており、固体や粉体をスムーズに下流側へ導いている。
【００７１】
また、これらの実施例は、技術的な矛盾を生じない範囲において適宜組み合わせて実施できる。さらに、上記した放射性物質に限らず、有毒物質、細菌等のように大気、水、土等の環境を汚染する汚染物質を除去する装置一般に適用できる。
【符号の説明】
【００７２】
１  汚染物質除去装置（除染装置）
１２１  ペレット供給部
２１  パウダー供給部
２３  重曹供給部（固形物供給部）
２４  噴射ガン（噴射装置）
２４ｂ  設定スイッチ（切換手段）
２５  コントローラ（噴射制御装置；切換手段）
３  ブース
６  ホース（搬送手段；連通手段）
７（７１，７２）  捕獲装置（ろ過装置）
７０  排出手段
８  負圧ポンプ（負圧形成手段；負圧発生装置）
９  負圧コントローラ
ＤＣ  除染剤
ＤＰＥ  除染剤ＤＣ含有のドライアイスペレット
ＤＢＰ  除染剤ＤＣ含有（又は混入）のドライアイスパウダー
ＳＨ    重曹（固形物）
【図１】
2013242154.tif 000003
【図２】
2013242154.tif 000004
【図３】
2013242154.tif 000005
【図４Ａ】
2013242154.tif 000006
【図４Ｂ】
2013242154.tif 000007
【図４Ｃ】
2013242154.tif 000008
【図４Ｄ】
2013242154.tif 000009
【図５Ａ】
2013242154.tif 000010
【図５Ｂ】
2013242154.tif 000011
【図６】
2013242154.tif 000012
【図７Ａ】
2013242154.tif 000013
【図７Ｂ】
2013242154.tif 000014
【図７Ｃ】
2013242154.tif 000015
【図７Ｄ】
2013242154.tif 000016
【図７Ｅ】
2013242154.tif 000017
【図７Ｆ】
2013242154.tif 000018
【図８】
2013242154.tif 000019
【図９】
2013242154.tif 000020
【図１０】
2013242154.tif 000021
【図１１Ａ】
2013242154.tif 000022
【図１１Ｂ】
2013242154.tif 000023
【図１１Ｃ】
2013242154.tif 000024
【図１２】
2013242154.tif 000025
【図１３】
2013242154.tif 000026
【図１４】
2013242154.tif 000027
【図１５】
2013242154.tif 000028
【図１６】
2013242154.tif 000029
【図１７】
2013242154.tif 000030
【図１８】
2013242154.tif 000031
【図１９】
2013242154.tif 000032
【図２０】
2013242154.tif 000033
【図２１】
2013242154.tif 000034
【図２２】
2013242154.tif 000035
【図２３】
2013242154.tif 000036